(57)【特許請求の範囲】
【請求項１】
組布団を出荷するための組布団の製造方法において、出荷される布団に乾燥処理及び塵埃の除去処理を施した後、該布団を所定の袋に収納して該袋を密封する一連の作業を屋内の作業場で実施する方法であり、
出荷前の複数枚の布団を広げた状態で台車に乗せ、その台車を乾燥機の乾燥室に入れて前記乾燥処理としての加熱乾燥処理を布団に実施し、
乾燥処理後の布団は前記台車に乗せられたまま前記除去処理を布団に施す集塵機に移動されて前記集塵機に広げられた状態で一枚ずつ投入され、
前記集塵機では、前記布団が広げられた状態で塵埃が除去されることにより前記除去処理が実施されるとともに、除去された塵埃がブロアユニットで吸引されて排気ダクトを通じ前記作業場の屋外へ排出され、
前記集塵機にて前記除去処理が施された布団は、セット組用施設に送られて組布団として同梱されるべき各種の物品とともに前記袋に収納されることを特徴とする組布団の製造方法。
【請求項２】
請求項１に記載の組布団の製造方法において、前記乾燥処理時の布団の加熱温度を５０°Ｃ以上、加熱時間を１０秒以上に設定することを特徴とする組布団の製造方法。
【請求項３】
請求項１又は２に記載の組布団の製造方法において、前記布団を所定の袋に収納した後、前記布団が収納されている該袋の内部を真空状態にしてその袋を密封することを特徴とする組布団の製造方法。
【発明の詳細な説明】
【０００１】
【発明の属する技術分野】
本発明は、組布団を出荷するための組布団を製造する技術に関するものである。
【０００２】
【従来の技術】
使用する布団が衛生的であることは健康維持管理上重要である。しかし一般に店頭において販売される布団は、単に折り畳まれファスナーつきの袋に詰め込まれて販売されており、出荷前に乾燥処理や塵埃の除去処理がされることはない。そのため、布団購入後、購入者側で該布団を使用前に天日干しや乾燥機にかけたりひいては掃除機をかける等の手間をかけ衛生面を確保している。
【０００３】
【発明が解決しようとする課題】
そこで、本発明は、購入者が前記手間をかけずに購入後直ぐに安心して使用することができる布団を含んだ組布団を出荷するための組布団の製造方法を提供することを目的とする。
【０００４】
【課題を解決するための手段】
以下、本発明について説明する。なお、本発明の理解を容易にするために添付図面の参照符号を括弧書きにて付記するが、それにより本発明が図示の形態に限定されるものではない。
【０００５】
本発明は組布団（５）を出荷するための組布団の製造方法において、出荷される布団（１）に乾燥処理及び塵埃の除去処理を施した後、該布団を所定の袋（６）に収納して該袋を密封する一連の作業を屋内の作業場（１８）で実施する方法であり、出荷前の複数枚の布団を広げた状態で台車（２ａ）に乗せ、その台車を乾燥機（２）の乾燥室（１２）に入れて前記乾燥処理としての加熱乾燥処理を布団に実施し、乾燥処理後の布団は前記台車に乗せられたまま前記除去処理を布団に施す集塵機（３）に移動されて前記集塵機に広げられた状態で一枚ずつ投入され、前記集塵機では、前記布団が広げられた状態で塵埃が除去されることにより前記除去処理が実施されるとともに、除去された塵埃がブロアユニット（４３）で吸引されて排気ダクト（４４）を通じ前記作業場の屋外へ排出され、前記集塵機にて前記除去処理が施された布団は、セット組用施設（１５）に送られて組布団として同梱されるべき各種の物品とともに前記袋に収納されることを特徴とするものである。ここに、組布団とは、敷布団及び掛布団で１セットとした出荷形態、これに枕又は肌着等の付属品を加えて１セットとした出荷形態、更に敷布団のみ又は掛布団のみを出荷する形態や、これらに枕又は肌着等の付属品を加えて１セットとした出荷形態をも含むものとする。
【００１０】
この組布団の製造方法によって、出荷前に乾燥及び塵埃の除去処理がされその状態が保たれた布団を購入者は手に入れることができるので、衛生面を確保するために該布団を使用前に購入者側で天日干しや掃除機をかけるといった煩雑な手間を省くことが可能になる。
【００１１】
また、先に乾燥処理によって布団に付着した塵埃を除去しやすい乾燥状態にしておき、その後該塵埃を除去処理することによってより効率的に衛生面を確保することが可能である。
【００１２】
加熱による乾燥は、布団を乾燥させるとともにダニを死滅させることが可能となる。ここで、ダニとは一般的に広く知られている種類のダニをいうものとする。特に加熱乾燥させてダニを死滅させた後に塵埃除去処理を行う場合にはダニの死骸をも除去することができ、布団の衛生を確保する上で効果的である。広く知られているダニを死滅させるには、布団の加熱温度を５０°Ｃ以上、加熱時間を１０秒以上に設定すればよい。好ましくは、布団の加熱温度を８０°Ｃ以上、加熱時間を２分以上に設定する。さらに、完全な滅菌を行うには布団の加熱温度を１１０°Ｃ以上、加熱時間を３０分以上に設定する。
【００１３】
さらに塵埃の除去処理を集塵機で行うことによって人が手動で行うよりも、より多くの布団に対してより早く除去作業を行うことができる。
【００１４】
本発明の製造方法において、前記布団を所定の袋に収納した後、前記布団が収納されている該袋の内部を真空状態にしてその袋を密封してもよい。真空状態にすることによって袋に収納された組布団全体の体積が真空状態にする前の体積よりも小さくなるので、運搬やストックの際に場所の節約になる。
【００１６】
【発明の実施の形態】
本発明の実施の形態を添付図面を参照して詳細に説明する。
【００１７】
図面１は本発明によって出荷用組布団が製造される作業工程を示す図面である。この例では、まず、図１（ａ）に示すように出荷前の複数枚の布団１…１を広げた状態で台車２ａに乗せて加熱乾燥機能を有する乾燥機２にかけることにより、これら布団１…１を加熱乾燥処理する。このときの加熱温度及び時間は適宜に設定してよいが、好ましくは８０°Ｃで約２分間行う。広く知られている多くのダニは５０°Ｃで１０秒間加熱することによって死滅するので、前記の通りに加熱温度及び時間を設定すればダニの死滅効果も期待できる。
【００１８】
次に、図１（ｂ）に示すように乾燥させた布団１を広げた状態で１枚ずつ集塵機３に送り込み、布団１に付着している塵埃を除去する。その後、図１（ｃ）に示すように、塵埃が除去された布団１を梱包に適した大きさに折り畳むとともに、その布団１を、同梱させるべき他の物品４と組み合わせる。他の物品４としては、布団１と一体に使用されるべき他の掛布団若しくは敷布団、枕、シーツ、肌着、又はパジャマ等がある。なお、組布団５として同梱されるべき各種の物品４も布団１と同様に加熱乾燥処理及び塵埃の除去処理が施されていることが望ましい。
【００１９】
続いて、図１（ｄ）に示すように、組布団５を所定の袋６に収納する。該袋６は、いわゆる真空パックが可能な程度の密封性を有しているものを使用する。その後、図１（ｅ）に示すように、吸引機７によって袋６内から空気を吸引して袋６内を真空状態とし、その状態で袋６を密封する。これにより、図１（ｆ）に示すように減容された組布団の出荷梱包物８が完成する。
【００２０】
図２は上記の作業を行うための作業施設のレイアウトの一例を示している。この例では加熱乾燥処理から組布団の出荷梱包までの一連の作業（以下単に「一連の作業」という場合がある）を作業場１８の壁伝いに流れ作業として行えるような配置をとっている。なお、各施設での作業内容は、乾燥機２においては布団１の加熱乾燥処理、集塵機３においては乾燥処理後の布団１の塵埃の除去処理、セット組用施設１５では前記各処理を終了した布団１に他の物品４を加えて組布団５を構成し所定の袋６に収納する作業、密封パック用施設１６では組布団５が収納された所定の袋６の内部を真空化し密封する作業、ケース詰用施設１７では出荷用の梱包作業となる。
【００２１】
以下、本例における各作業施設の具体的な設置方法を説明する。一連の処理がされる前の布団１…１をストックしておくスペースを入荷品ストックヤード１０として作業場の一端に設け、その反対側の一端には一連の作業が終了し梱包された出荷用組布団をストックしていくスペースを出荷品ストックヤード１１として設ける。各作業施設は入荷品ストックヤード１０を起点として作業順に、すなわち乾燥機２、集塵機３、セット組用施設１５、密封パック用施設１６、ケース詰め用施設１７の順に出荷品ストックヤード１１が終点になるよう配置する。入荷品ストックヤード１０から乾燥機２への布団１…１の移動、乾燥機２による加熱乾燥処理、及び乾燥機２から集塵機３への布団１…１の移動は台車２ａに布団１…１を乗せたままで行う。ここで、集塵機３は投入ベルトコンベア１３で布団１…１を１枚ずつ投入するようになっているので投入コンベヤ１３を乾燥機２側に、取り出しコンベヤ１４をセット組用施設１５側になるように設置することが作業の効率上望ましい。
【００２２】
図３は加熱乾燥機能を有する乾燥機２の一例を示している。効率よく加熱するために左右両側から乾燥室１２内に向けて各２ケ所のヒーター噴出し口２０が設けられている。加熱乾燥処理を行う際は、図３（ｂ）に示すように扉２３を閉めた状態で行う。乾燥室１２内の温度は乾燥機２の側面に設けられた温度センサー２２によって乾燥室１２の外側から確認可能である。温度センサー２２の出力に基づいて温度を自動制御してもよい。図３（ａ）に示すように、乾燥室１２に布団１を乗せた台車２ａをそのまま出し入れできるように、乾燥室１２の床には車輪用の溝２１が二箇所設けられている。
【００２３】
図４は加熱乾燥機能を有する乾燥機２における台車２ａを入れる乾燥室の扉２３の一例の俯瞰図を示している。台車２ａをスムーズに出し入れ出来るように観音開きで左右に大きく開くよう設計され、また扉閉時の密封性を確保するため、両扉２３ともにマグネット密着方式を採用している。
【００２４】
図５は乾燥機２に出し入れ等するための台車２ａの一例を示している。図５（ａ）は台車２ａを握手３３側から見た正投影図、同（ｂ）は台車２ａをその側面から見た正投影図、同（ｃ）は受皿３０ａの斜視図である。台車２ａはキャスター３４…３４が下部に付いている全体的に直方体の形状を有する可動体３０と、その可動体３０に搭載可能な複数の受皿３０ａとを備えている。可動体３０は、通気性を確保するため、レール３１…３１と縦枠３１ａ…３１ａ及び横枠３１ｂ…３１ｂのみから構成されており、いわゆる壁面に相当する部分は開放されている。受皿３０ａは一般的な布団１の形状に合わせて長方形であり、布団１の落下防止のため四方に縁３４及び縁３５を有しており、縁３４の長さは縁３５よりも長い。受皿３０ａの大きさは少なくとも１枚の布団１を広げた大きさを有している。また受皿３０ａの底部分３２は通気性を確保するために網状となっている。レール３１…３１は２本で１対（３１ｃと３１ｄ）となり、各受皿３０ａ…３０ａを水平に支持すべく各々水平に設置されている（図５（ｂ）参照）。よって、握手３３側から見た時の可動体３０の内部の幅Ｗは受皿３０ａの縁３５の長さ以上であり、かつレール３１…３１の先端間の幅は縁３５の長さ未満であることが必要である。レール３１…３１は垂直方向の枠部分３１ａ…３１ａを利用して複数対、具体的には６対垂直方向に設けられている。すなわち、本例では最大６段の受皿３０ａ…３０ａを可動体３０に設置することができる。
【００２５】
握手３３は可動体３０の移動を容易にするために設けられている。加熱処理中は取り外した方が望ましいため、握手３３は可動体３０に対して着脱可能である。すなわち、握手３３は、支持アングル３３ａ…３３ａによってその両端が支持されているだけなので、可動体３０から簡単に取り外すことができる。また、もう１対の支持アングル３３ｂが反対側にも設けられているので握手３３を取り付ける側を適宜選ぶことができる。
【００２６】
図６は塵埃の除去処理に使用する集塵機３の一例を示している。乾燥させた布団１を広げた状態でベルトコンベア４０に１枚ずつ乗せて移動させ、その移動中に布団１に付着している塵埃をブラシ４１…４１によって除去する。除去された塵埃はその拡散を防止するため、吸気ダクト４２…４２を介してブロアユニット４３に吸引されそのブロアユニット４３から排気ダクト４４を通じて屋外へ塵埃を排出される構造になっている。
【００２８】
【発明の効果】
以上に説明したように、本発明の組布団の製造方法によれば、購入者が煩雑な手間をかけずに購入後直ぐに安心して使用することができる布団を含んだ組布団を出荷することができる。
【図面の簡単な説明】
【図１】本発明によって出荷用組布団が製造される作業工程を示す図面。
【図２】本発明を実施するための作業施設のレイアウトの一例を示す図面。
【図３】加熱乾燥処理に使用する乾燥機の一例を示す図面。
【図４】加熱乾燥機能を有する乾燥機における乾燥室の扉の一例を示す図面。
【図５】布団を載置する台車の一例を示す図面。
【図６】塵埃の除去処理に使用する集塵機の一例を示す図面。
【符号の説明】
１  布団
２  乾燥機
２ａ  台車
３  集塵機
５  組布団
６  所定の袋
【図１】
0004495376.tif 000002
【図２】
0004495376.tif 000003
【図３】
0004495376.tif 000004
【図４】
0004495376.tif 000005
【図５】
0004495376.tif 000006
【図６】
0004495376.tif 000007